(57)【要約】      （修正有）【課題】意匠性を高めた衛生マスクを提供する。【解決手段】衛生マスク１０１の紐部材６に、そろばん玉形状のビーズ体を取り付ける。これにより、ビーズ体７が衛生マスク１０１におけるアクセントとなり、無味乾燥な衛生マスク１０１全体の意匠性が高められ、ファッション性、デザイン性に優れたものとなる。ビーズ体７の通し孔の内径は、非伸張状態の紐部材６の外径よりも小さいため、ビーズ体７は紐部材６を移動困難に保持され、衛生マスク１０１の装着時にビーズ体７が邪魔になることはない。【選択図】図３
0003144814.tif 000002
【実用新案登録請求の範囲】
【請求項１】
空気中の塵や花粉等が呼吸に伴って侵入することを防いだり、のどや鼻の粘膜を外気から保護したりするために、使用者の鼻及び口の部分に当てる衛生マスクであって、
マスク生地より形成されるマスク本体と、
前記マスク本体を使用者の耳や頭部に掛けるためにその左右方向の両端部に取り付けられる紐部材と、を備え、
前記紐部材に装飾部材を取り付けたことを特徴とする衛生マスク。
【請求項２】
前記装飾部材はビーズ体であって、前記紐部材に通されて所定位置で移動困難に保持されることを特徴とする請求項１に記載の衛生マスク。
【請求項３】
前記紐部材は伸張自在であり、前記ビーズ体における前記紐部材の通し孔は、該紐部材の非伸張時の外径よりも小さく、かつ伸張時の外径よりも大きく、
前記ビーズ体は、前記紐部材を伸張させた状態で該紐部材に取り付けられるとともに、該紐部材を非伸張状態とすることにより、前記紐部材における所定位置で移動困難に保持されることを特徴とする請求項２に記載の衛生マスク。
【請求項４】
前記ビーズ体は、その通し孔に折返し状態で挿通され、前記ビーズ体から突出した細糸状のガイド部材のリング状部分に紐部材を挿通し、伸張させることによって外径を小さくした紐部材に移動させて前記紐部材に取り付けられることを特徴とする請求項３に記載の衛生マスク。
【請求項５】
前記装飾部材はモールであって、前記紐部材に巻き付けられていることを特徴とする請求項１に記載の衛生マスク。
【請求項６】
前記マスク本体は、不織布又は編織布より成るマスク生地より形成されることを特徴とする請求項１ないし５のいずれか１項に記載の衛生マスク。
【請求項７】
前記装飾部材は、蓄光性を有することを特徴とする請求項１ないし６のいずれか１項に記載の衛生マスク。
【請求項８】
マスク生地より形成されるマスク本体と、前記マスク本体を使用者の耳や頭部に掛けるためにその左右方向の両端部に取り付けられる紐部材とを備え、空気中の塵や花粉等が呼吸に伴って侵入することを防いだり、のどや鼻の粘膜を外気から保護したりするために、使用者の鼻及び口の部分に当てる衛生マスクにおいて、前記紐部材への装飾部材の取付構造であって、
前記紐部材は伸張自在で、伸張時の外径が非伸張時の外径よりも小さくなり、
前記装飾部材には、内径が前記紐部材における非伸張時の外径よりも小さく、かつ伸張時の外径よりも大きい通し孔が設けられ、
前記装飾部材の通し孔に通した前記紐部材を非伸張状態とすることにより、前記装飾部材の通し孔を前記紐部材で内側から押圧し、前記装飾部材を前記紐部材に対して移動困難に保持するとともに、前記紐部材を伸張状態とすることにより、前記装飾部材の通し孔と前記紐部材との間に隙間を生じさせて、前記装飾部材を前記紐部材に対して移動可能とすることを特徴とする衛生マスクの紐部材への装飾部材の取付構造。
【考案の詳細な説明】
【技術分野】
【０００１】
本考案は、空気中の塵や花粉等が呼吸に伴って侵入することを防いだり、のどや鼻の粘膜を外気から保護したりするために、使用者の鼻及び口の部分に当てる衛生マスク、及びその紐部材への装飾部材の取付構造に関するものである。なお、本明細書の衛生マスクは、上記した目的のために使用されるものの他に、自身のくしゃみやセキ又は呼気を他人に感じさせないため等のエチケットやマナーとして使用されるものをも含むものとする。
【背景技術】
【０００２】
近時、スギ花粉を吸い込むことにより発症する花粉症を避けるため、或いはインフルエンザ等の空気感染性伝染病に感染することを低減するため、衛生マスクの需要が増大している。衛生マスクとして多数の出願が成されている（例えば、特許文献１を参照）。
【０００３】
衛生マスクは、編織布を重ね合わせたり、不織布を立体的に溶着したりして形成されたマスク本体における横方向（左右方向）の両端部に取り付けられた紐部材を使用者の耳に引っ掛けたり、頭部に回したりする（ヘッドバンド方式）ことによって装着される。
【０００４】
衛生マスクにおいて、紐部材が、例えばウーリー糸のように伸張自在な材質より成るものが存している。ウーリー糸とは、ナイロンやポリエステル等の化学繊維に、加撚、加熱解撚の加工を施して製造された糸をいい、ゴムのような伸縮性と、毛糸のような嵩高性・保温性・吸湿性を有している。従来の衛生マスクのマスク本体は白を基調とした単色のものであり、かつ紐部材に何らの装飾性もないため、意匠性に乏しい。
【特許文献１】特開２００６−２３０９６２号公報
【考案の開示】
【考案が解決しようとする課題】
【０００５】
本考案は、上記した事情に鑑み、衛生マスクの意匠性を高めることを課題としている。
【課題を解決するための手段及び考案の効果】
【０００６】
上記した課題を解決するための本考案は、
空気中の塵や花粉等が呼吸に伴って侵入することを防いだり、のどや鼻の粘膜を外気から保護したりするために、使用者の鼻及び口の部分に当てる衛生マスクであって、
マスク生地より形成されるマスク本体と、
前記マスク本体を使用者の耳や頭部に掛けるためにその左右方向の両端部に取り付けられる紐部材と、を備え、
前記紐部材に装飾部材を取り付けたことを特徴としている。
【０００７】
本考案に係る衛生マスクは、上記したように構成されていて、紐部材に装飾部材が取り付けられている。この装飾部材は、例えばビーズ体であり、紐部材に通されて所定位置で移動困難に保持される。これにより、無味乾燥な衛生マスクにおいて装飾部材がアクセントとなり、衛生マスクの意匠性が高められ、ファッション性やデザイン性に優れたものとなる。また、装飾部材が移動困難に保持されているので、装着に対する支障となることはない。
【０００８】
紐部材にビーズ体を通して移動困難に保持するためには、紐部材を伸張自在なものとし、前記ビーズ体における前記紐部材の通し孔を、該紐部材の非伸張時の外径よりも小さく、かつ伸張時の外径よりも大きくする。そして、紐部材を伸張させた状態でビーズ体を紐部材に取り付けるとともに、紐部材を非伸張状態とすることにより、ビーズ体を紐部材における所定位置で移動困難に保持することができる。これにより、紐部材におけるビーズ体を移動困難に保持できるだけでなく、ビーズ体の取付け位置を調整することもできる。
【０００９】
この装飾部材はビーズ体以外のもの、例えばモールを衛生マスクの紐部材に巻き付けてもよい。紐部材にモールを巻き付ける場合、マスク本体に紐部材を取り付けた後からでも取り付けることができるという利点がある。そして、装飾部材の形状、色、個数及び配置形態（例えば、数珠状に連続させて取り付けたり、所定間隔をおいて取り付けたりする。）はいかなるものであってもよい。このマスク本体は、不織布又は編織布より成るマスク生地より形成することができる。
【考案を実施するための最良の形態】
【００１０】
本考案の実施例について説明する。図１は第１実施例の衛生マスク１０１の正面図、図２は図１のＸ−Ｘ線断面図、図３は装着状態の衛生マスク１０１の斜視図である。
【実施例１】
【００１１】
第１実施例の衛生マスク１０１について説明する。図１ないし図３に示されるように、第１実施例の衛生マスク１０１は、フィルタ１を介装させたマスク生地２（図３参照）を折り畳んで形成したマスク本体３の裏面部に口当て部４を一体に縫合し、かつマスク本体３における横方向（左右方向）の両端部に形成された筒状部５にそれぞれウーリー糸より成る紐部材６を通し、それらの両端部を結んで成る。フィルタ１は、例えばポリエステルより成り、マスク生地２は、例えば白地のポリエステルより成り、口当て部４は、例えばガーゼ（綿糸（コットン）を、目を粗くして織った柔らかい布）より成る。この紐部材６はリング状になっていて、使用者の耳に引っ掛けられるようになっている。
【００１２】
第１実施例の衛生マスク１０１の紐部材６には、複数個のそろばん玉形状のビーズ体７が取り付けられている。各ビーズ体７は樹脂材より成り、所定の色（単色又は透明色）に着色されている。そして、衛生マスク１０１が使用者の顔に装着されたとき、紐部材６が外部に露出する部分（即ち、マスク本体３から突出した部分で、使用者の耳で隠れる部分を除く部分）に配置されている。これらのビーズ体７の大きさ、形状、配色、個数等はいかなるものであってもよい。例えば、複数個の同一色のビーズ体７を連続して並べたり、異なる大きさ、形状、色のビーズ体７を所定間隔をおいて配置したりしてもよい。これにより、白を基調とした単色の衛生マスク１０１において、ビーズ体７の色や形状がアクセントとなり、衛生マスク１０１の意匠性が高められ、ファッション性やデザイン性に優れたものとなる。
【００１３】
次に、ビーズ体７に紐部材６を挿通させる方法について説明する。ここで、ビーズ体７には、紐部材６を通すための通し孔８が設けられている。また、紐部材６はウーリー糸より成り、非伸張状態での外径Ｄ１は、ビーズ体７の通し孔８の内径ｄよりも少し大きい（図５参照）。図４の（ａ）に示されるように、ビーズ体７の通し孔８に、テグス等の非伸張性の細糸９（ガイド部材）を折返し状態で通す。細糸９において、ビーズ体７から突出した部分はリング状となっている。このリング状部分に、紐部材６を通す。
【００１４】
図４の（ｂ）に示されるように、紐部材６を伸張させ、ビーズ体７を紐部材６に向かって（矢印１０の方向）に押し込む。紐部材６の外径Ｄ１は、伸張することによってビーズ体７の通し孔８の内径ｄよりも細くなる。ビーズ体７は、細糸９にガイドされながら折返し状態の紐部材６に乗り移る。そして、図４の（ｃ），（ｄ）に示されるように、ビーズ体７から突出した紐部材６のリング状部分から細糸９を抜き取り、折返し状態の紐部材６の一方側をビーズ体７の通し孔８から抜き取る。
【００１５】
図５の（ａ）に示されるように、この状態でビーズ体７の通し孔８は、非伸張状態の紐部材６に押圧されるため、ビーズ体７は移動しにくくなる。即ち、紐部材６の外径Ｄ１がビーズ体７の内径ｄよりも大きくなり（Ｄ１＞ｄ）、紐部材６がビーズ体７の通し孔８を、内側から押圧力Ｆで押圧する。これにより、ビーズ体７が紐部材６に対して移動困難に保持される。
【００１６】
そして、ビーズ体７を移動させるときは、紐部材６を伸張させてその外径Ｄ２をビーズ体７の通し孔８の内径ｄよりも小さくするだけで済む。即ち、図５の（ｂ）に示されるように、紐部材６を伸張させることにより、その外径Ｄ２が、ビーズ体７の通し孔８の内径ｄよりも小さくなるため（Ｄ２＜ｄ）、ビーズ体７の通し孔８と紐部材６との間に隙間が生じ、ビーズ体７が紐部材６に対して移動可能となる。
【実施例２】
【００１７】
上記した第１実施例の衛生マスク１０１では、紐部材６にそろばん玉形状のビーズ体７が取り付けられている。しかし、図６に示される第２実施例の衛生マスク１０２のように、大きさの異なる球形状のビーズ体１１を取り付けてもよい。
【実施例３】
【００１８】
次に、第３実施例の衛生マスク１０３について説明する。前述した第１及び第２の実施例の衛生マスク１０１，１０２は、編織布より成るマスク生地２を折り畳んでマスク本体３を形成したものである。しかし、図６に示されるように、耳に引っ掛ける部分（紐部材６に相当する部分）を含めた全体が不織布で形成された衛生マスク１０３に、装飾部材を取り付けてもよい。第３実施例の衛生マスク１０３は、不織布を鳥の嘴状に立体的に形成したマスク本体１２の両側に、不織布から成る装着部１３（紐部材６に相当する部分）を溶着したものである。装着部１１には、耳を通すための切欠き１４が設けられている。
【００１９】
この実施例の衛生マスク１０３の場合、後付けで取り付けられる装飾部材、例えば、モール１５を巻き付けることができる。モール１５とは、細い針金に、金糸、銀糸、色糸、金属箔等を絡ませた装飾用の紐状部品をいう。これにより、衛生マスク１０３の装着部１３に加工を加えることが不要になる。また、モール１５を容易に交換できるという利点がある。なお、図６において１６は、使用者の耳である。
【００２０】
上記した各実施例の衛生マスク１０１〜１０３の紐部材６に取り付けられたビーズ体７，１１やモール１５に夜光塗料を塗ることにより、蓄光性を有するようにし、夜間にそれらが発光するようにしてもよい。
【００２１】
紐部材６は、本明細書の実施例のように、耳に引っ掛けるものの他に、頭部に回すもの（ヘッドバンド方式）であってもよい。
【００２２】
そして、本実施例の装飾部材を、新たに製造する衛生マスクだけでなく、既存の衛生マスクの紐部材や装着部に取り付けることもできる。
【図面の簡単な説明】
【００２３】
【図１】第１実施例の衛生マスク１０１の正面図である。
【図２】図１のＸ−Ｘ線断面図である。
【図３】装着状態の衛生マスク１０１の斜視図である。
【図４】（ａ）〜（ｄ）は、紐部材６にビーズ体７を取り付けるための工程を示す図である。
【図５】（ａ）は非伸張状態における紐部材６の作用説明図であり，（ｂ）は伸張状態における紐部材６の作用説明図である。
【図６】第２実施例の衛生マスク１０２の正面図である。
【図７】第３実施例の衛生マスク１０３の正面図である。
【符号の説明】
【００２４】
１０１〜１０３  衛生マスク
２  マスク生地
３，１２  マスク本体
５  筒状部（左右方向の両端部）
６  紐部材
７，１１  ビーズ体（装飾部材）
８  通し孔
９  細糸（ガイド部材）
１３  装着部（紐部材）
１５  モール（装飾部材）
ｄ  通し孔の内径
Ｄ１  紐部材の非伸張時の外径
Ｄ２  紐部材の伸張時の外径
【図１】
0003144814.tif 000003
【図２】
0003144814.tif 000004
【図３】
0003144814.tif 000005
【図４】
0003144814.tif 000006
【図５】
0003144814.tif 000007
【図６】
0003144814.tif 000008
【図７】
0003144814.tif 000009